(57)【要約】【課題】コネクタからエレクトロニクス・システムを構成する物（回路素子）への静電気放電をコネクタ接続操作だけで確実に防ぐＵＳＢコネクタなどを提供する。【解決手段】端子１１、端子１２、及び導電フレーム１４を備えたコネクタ１と、端子１３、及び導電フレーム１５を備えたコネクタ２と、から構成され、端子１１が自らと導通状態にない端子１２よりも後方に配置され、導電フレーム１４と導電フレーム１５がフレームを構成し、端子１２が導電フレーム１４と導通状態であり、コネクタ１にコネクタ２を接近させたときに、導電フレーム１５から端子１２に向けて放電された静電気が導電フレーム１４に導かれ、コネクタ１にコネクタ２を接続させたときに、導電フレーム１４と導電フレーム１５が接触するとともに、端子１２と導電フレーム１４の導通状態が解除され、端子１１と端子１３が導通状態となることを特徴とする。【選択図】図１
2014132520.tif 000002
【特許請求の範囲】
【請求項１】
第１通電部（１１）、第２通電部（１２）、及び第１導電部（１４）を備えた第１コネクタ（１）と、第３通電部（１３）、及び第２導電部（１５）を備えた第２コネクタ（２）と、から構成され、
前記第１通電部（１１）が自らと導通状態にない前記第２通電部（１２）よりも後方に配置され、
前記第１導電部（１４）と前記第２導電部（１５）がフレームを構成し、
前記第２通電部（１２）が前記第１導電部（１４）と導通状態であり、
前記第１コネクタ（１）に前記第２コネクタ（２）を接近させたときに、前記第２導電部（１５）から前記第２通電部（１２）に向けて放電された静電気が前記第１導電部（１４）に導かれ、
前記第１コネクタ（１）に前記第２コネクタ（２）を接続させたときに、前記第１導電部（１４）と前記第２導電部（１５）が接触するとともに、前記第２通電部（１２）と前記第１導電部（１４）の導通状態が解除され、前記第１通電部（１１）と前記第３通電部（１３）が導通状態となる電気コネクタ・システムに用いたことを特徴とする第１コネクタ（１）。
【請求項２】
前記電気コネクタ・システムがＵＳＢコネクタを構成することを特徴とする請求項１に記載の第１コネクタ（１）。
【請求項３】
第１通電部（１１）、第２通電部（１２）、及び第１導電部（１４）を備えた第１コネクタ（１）と、第３通電部（１３）、及び第２導電部（１５）を備えた第２コネクタ（２）と、から構成され、
前記第１通電部（１１）が前記第２通電部（１２）よりも後方に配置され、
前記第１導電部（１４）と前記第２導電部（１５）がフレームを構成し、
前記第２通電部（１２）が前記第１導電部（１４）と導通状態であり、
前記第１コネクタ（１）に前記第２コネクタ（２）を接近させたときに、前記第２導電部（１５）から前記第２通電部（１２）に向けて放電された静電気が前記第１導電部（１４）に導かれ、
前記第１コネクタ（１）に前記第２コネクタ（２）を接続させたときに、前記第１導電部（１４）と前記第２導電部（１５）が接触するとともに、前記第２通電部（１２）と前記第１導電部（１４）の導通状態が解除され、前記第１通電部（１１）と前記第３通電部（１３）が導通状態となるＵＳＢコネクタに用いたことを特徴とする第１コネクタ（１）。
【請求項４】
請求項１ないし請求項３のいずれかに記載の第１コネクタ（１）を備えたことを特徴とする電気コネクタ・ケーブル。
【請求項５】
請求項１ないし請求項３のいずれかに記載の第１コネクタ（１）を備えたことを特徴とする物。
【発明の詳細な説明】
【技術分野】
【０００１】
本発明はＵＳＢコネクタを含む電気コネクタ・システムに関する。
【背景技術】
【０００２】
従来、コネクタからエレクトロニクス・システムを構成する回路素子への静電気放電を、コネクタ接続操作だけで確実に防ぐ電気コネクタ・システムが知られている。例えば特開２０１１−１７１０３６号公報に記載の技術は、ハウジングと、信号素子と、接地素子と、コンタクトから構成され、ハウジングは、ハウジングに挿入接続されるケーブルのプラグが挿入される開口部を備え、コンタクトは、プラグがハウジングに挿入された時に、まずプラグが備えるプラグ側コンタクトが接地素子と電気的に接続される電気接続部を備え、電気的解除手段が、次いで、プラグがハウジングに更に挿入されると、コンタクトと接地素子との電気的接続を解除させるようにして設けられ、コンタクトの電気接続部は、続いて、プラグがハウジングに更に挿入されると、プラグ側コンタクトが信号素子と電気的に接続される電気コネクタの技術が開示されている。
【先行技術文献】
【特許文献】
【０００３】
【特許文献１】特開２０１１−１７１０３６号公報
【発明の概要】
【発明が解決しようとする課題】
【０００４】
ところで、従来の電気コネクタ・システムは、導電フレームを備えたコネクタにおいて、一方のコネクタの導電フレームからの他方のコネクタの端子に向けて放電された静電気を該他方のコネクタの導電フレームに逃がす構造となっていないといった問題があった。ここで、静電気が該一方のコネクタに帯電する原因としては、静電気を帯電した人間の指先が該一方のコネクタの導電フレームに触れることにより起こる。静電気放電の被害の一例としては、ＵＳＢメモリーをパーソナル・コンピュータに接続する場合に、パーソナル・コンピュータの回路素子が静電気放電により破壊される例が挙げられる。
【０００５】
そこで、本発明の目的は、導電フレームを備えたコネクタにおいて、一方のコネクタの導電フレームからの他方のコネクタの端子に向けて放電された静電気を、他方のコネクタの導電フレームに逃がす構造となっている電気コネクタ・システムを提供する。
【課題を解決するための手段】
【０００６】
上記課題を解決するため本発明の電気コネクタ・システムは、第１通電部（１１）、第２通電部（１２）、及び第１導電部（１４）を備えた第１コネクタ（１）と、第３通電部（１３）、及び第２導電部（１５）を備えた第２コネクタ（２）と、から構成され、前記第１通電部（１１）が自らと導通状態にない前記第２通電部（１２）よりも後方に配置され、前記第１導電部（１４）と前記第２導電部（１５）がフレームを構成し、前記第２通電部（１２）が前記第１導電部（１４）と導通状態であり、前記第１コネクタ（１）に前記第２コネクタ（２）を接近させたときに、前記第２導電部（１５）から前記第２通電部（１２）に向けて放電された静電気が前記第１導電部（１４）に導かれ、前記第１コネクタ（１）に前記第２コネクタ（２）を接続させたときに、前記第１導電部（１４）と前記第２導電部（１５）が接触するとともに、前記第２通電部（１２）と前記第１導電部（１４）の導通状態が解除され、前記第１通電部（１１）と前記第３通電部（１３）が導通状態となることを特徴とする。
【発明の効果】
【０００７】
本発明によれば、電気コネクタ・システムは、導電フレームを備えたコネクタにおいて、一方のコネクタの導電フレームからの他方のコネクタの端子に向けて放電された静電気を、他方のコネクタの導電フレームに逃がす構造とすることができる。また、電源路を短絡させることなく、電源路への静電気の侵入を阻止することができる。
【図面の簡単な説明】
【０００８】
【図１】実施形態のＵＳＢコネクタの断面図である。
【発明を実施するための形態】
【０００９】
以下、本発明の実施の形態について詳細に説明する。
【００１０】
図１は実施形態のＵＳＢコネクタの断面図である。例えば、ＵＳＢ（Universal Serial Bus）コネクタは、（ａ）端子１１、端子１２、導電フレーム１４、及び端子台１６を備えたコネクタ１と、端子１３、導電フレーム１５、端子台１７、及びキャップ１８を備えたコネクタ２と、から構成され、端子１１と端子１２が絶縁体の端子台１６に固定された部分を備え、端子１３が絶縁体の端子台１７に固定された部分を備え、端子１２の後端側が弾性機能を有した屈曲部を成し、弾性機能を有して導電フレーム１４から飛び出した接触部と接触し、端子１２と導電フレーム１４が導通状態となり、コネクタ１にコネクタ２を接近させた場合に、導電フレーム１５から端子１２に向けて放電された静電気が導電フレーム１４に導かれ、（ｂ）コネクタ１にコネクタ２を接続させた場合に、端子１２の屈曲部が端子台１７及び端子１３に押されて端子１２と導電フレーム１４の導通状態が解除され、端子１１と端子１２と端子１３が導通状態となることを特徴とする。また、（ｃ）コネクタ１と、コネクタ２と、信号線、電力供給線及びシールド線を含むケーブル３とにより、ＵＳＢケーブルが構成される。
【００１１】
また、端子１１が自らと導通状態にない端子１２よりも後方に配置され、端子１２の先端側が端子台１６の先端側で固定される。また、コネクタ１とコネクタ２が端子１１、端子１２及び端子１３を夫々４つ備えたＵＳＢのＡタイプ・コネクタを構成する。また、４つの端子１１が２つの信号路と２つの電源路を成し、端子１１の後端側が図示させていないエレクトロニクス・システムを構成した装置（物）のプリント基板（物）に半田付けされ、信号路が該プリント基板の回路素子に接続され、電源路が該プリント基板の電源部に接続される。また、導電フレーム１４が該プリント基板に半田付けされ、アース付き商用電源コンセントなどを介して接地される。また、４つの端子１３が２つの信号路と２つの電源路を成し、信号路が信号線に接続され、電源路が電力供給線に接続され、導電フレーム１５がシールド線に接続される。
【００１２】
上記実施形態において、ＵＳＢコネクタはコネクタ１とコネクタ２の構造をＵＳＢのＢタイプ・コネクタの構造に置換えてもよい。また、コネクタ１とコネクタ２の技術的な特徴をＵＳＢコネクタ以外のコネクタに適用してもよい。
【００１３】
上記実施形態によれば、電気コネクタは、導電フレームを備えたコネクタにおいて、一方のコネクタの導電フレームからの他方のコネクタの端子に向けて放電された静電気を、他方のコネクタの導電フレームに逃がす構造とすることができる。また、電源路を短絡させることなく、電源路への静電気の侵入を阻止することができる。
【符号の説明】
【００１４】
１：２…コネクタ，３…ケーブル，１１〜１３…端子，１４：１５…導電フレーム，１６：１７…端子台，１８…キャップ
【図１】
2014132520.tif 000003